(57)【特許請求の範囲】
【請求項１】
巻取軸収納シャッター部一体サッシ枠と、シャッター下枠と、シャッター縦枠と、シャッター巻取軸と、シャッターボックスカバーとを備え、巻取軸収納シャッター部一体サッシ枠は、サッシ縦枠がサッシ上枠の上方に延在し、シャッター上枠、サッシ上枠、サッシ下枠と枠組みしたものであり、シャッター下枠はサッシ下枠の室外側に取り付けてあり、シャッター縦枠はシャッター縦枠本体とガイドレールを有し、シャッター縦枠本体は、サッシ縦枠の室外側前面に取り付けて、サッシ縦枠よりも室外側に位置しており、シャッター上枠とシャッター下枠間に設けてあり、ガイドレールは、シャッター縦枠本体の室外側に取り付けて、シャッター下枠からサッシ上枠まで延びており、シャッター巻取軸は、その中心がサッシ縦枠の室外側端よりも室内側に位置し、シャッターボックスカバーは、ガイドレール上方を覆う側面部を有し、シャッター上枠に着脱自在に取り付けてあり、巻取軸収納シャッター部一体サッシ枠が躯体に対して略納まり、全体として半外付けで取り付けてあることを特徴とするシャッター一体サッシ。  
【発明の詳細な説明】
【技術分野】
【０００１】
本発明は、シャッター一体サッシに関する。
【背景技術】
【０００２】
非特許文献１のシャッター一体サッシは、シャッターボックス部分が躯体から大きく飛び出している。  
【先行技術文献】
【非特許文献】
【０００３】
【非特許文献１】第３９４頁「三協アルミ  住宅建材  ウインドウ  総合カタログ  マディオＪ・Ｍ  引違い窓・装飾窓・アクセントシリーズ・出窓・勝手口・天窓  [在来／２×４]  ２０１４→２０１５」カタログＮｏ．ＳＴＪ０９５５Ｂ  三協立山株式会社  三協アルミ社  ２０１４年９月発行
【発明の概要】
【発明が解決しようとする課題】
【０００４】
一方、シャッターボックス部分の躯体からの出幅が小さく、スッキリとした外観意匠のシャッター一体サッシが求められていた。  
【０００５】
そこで、本発明は、シャッターボックス部分の出幅が小さくスッキリとした意匠にできるシャッター一体サッシの提供を目的とする。  
【課題を解決するための手段】
【０００６】
請求項１に記載の発明は、巻取軸収納シャッター部一体サッシ枠と、シャッター下枠と、シャッター縦枠と、シャッター巻取軸と、シャッターボックスカバーとを備え、巻取軸収納シャッター部一体サッシ枠は、サッシ縦枠がサッシ上枠の上方に延在し、シャッター上枠、サッシ上枠、サッシ下枠と枠組みしたものであり、シャッター下枠はサッシ下枠の室外側に取り付けてあり、シャッター縦枠はシャッター縦枠本体とガイドレールを有し、シャッター縦枠本体は、サッシ縦枠の室外側前面に取り付けて、サッシ縦枠よりも室外側に位置しており、シャッター上枠とシャッター下枠間に設けてあり、ガイドレールは、シャッター縦枠本体の室外側に取り付けて、シャッター下枠からサッシ上枠まで延びており、シャッター巻取軸は、その中心がサッシ縦枠の室外側端よりも室内側に位置し、シャッターボックスカバーは、ガイドレール上方を覆う側面部を有し、シャッター上枠に着脱自在に取り付けてあり、巻取軸収納シャッター部一体サッシ枠が躯体に対して略納まり、全体として半外付けで取り付けてあることを特徴とするシャッター一体サッシである。
【発明の効果】
【０００７】
請求項１に記載の発明によれば、巻取軸収納シャッター部一体サッシ枠は、サッシ縦枠がサッシ上枠の上方に延在し、シャッター上枠、サッシ上枠、サッシ下枠と枠組みしてあり且つシャッター巻取軸の回転中心がサッシ縦枠の室外側端よりも室内側に位置し、更に、巻取軸収納シャッター部一体サッシ枠が躯体に対して略納まり、全体として半外付けで取り付けてあるから、シャッターボックス部分の躯体からの出幅を小さくでき、スッキリとした意匠にできる。  
【図面の簡単な説明】
【０００８】
【図１】本発明の第１実施の形態にかかるシャッター一体サッシの縦断面図である。
【図２】図１に示すＡ−Ａ断面図である。
【図３】第１実施の形態にかかるシャッター一体サッシの枠材を兼用した一般サッシの縦断面図である。
【図４】図３に示す一般サッシの横断面図である。
【図５】本発明の第２実施の形態にかかるシャッター一体サッシの縦断面図である。
【発明を実施するための形態】
【０００９】
以下に、添付図面を参照して本発明の実施の形態を説明するが、まず、図１〜図４を参照して本発明の第１実施の形態を説明する。  
図１及び図２に示すように、本発明の第１実施の形態にかかるシャッター一体サッシ１は、躯体２の開口部２ａに取り付けるものであり、シャッター一体サッシ１は、全体が躯体２に対して、半外付けで取り付けてある。  
シャッター一体サッシ１は、巻取軸収納シャッター部一体サッシ枠３と、シャッター巻取軸５と、シャッター縦枠７と、シャッター下枠９とを備えている。  
巻取軸収納シャッター部一体サッシ枠３は、躯体２に対して略納まり、シャッター上枠１１、サッシ上枠１３、サッシ下枠１５、サッシ縦枠１７、１７を枠組みしてある。  
サッシ上枠１３、サッシ下枠１５、サッシ縦枠１７、１７でサッシ枠１９を構成しており、サッシ枠１９内には、引き違い障子の内障子２１及び外障子２３が設けてある。また、サッシ上枠１３には外障子２３の室外側に網戸レール２５ａが設けてあり、サッシ下枠１５には外障子２３の室外側に網戸レール２５ｂが設けてあり、網戸レール２５ａ、２５ｂ間には網戸２７が取り付けてある。  
サッシ上枠１３及びサッシ下枠１５には、外障子２３の室外側に網戸レール２５ａ、２５ｂが設けてあり、網戸レール２５ａ、２５ｂには網戸２７が取り付けてある。  
サッシ縦枠１７、１７は、図１に二点鎖線の斜線で示すように、サッシ下枠１５からサッシ上枠１３の上方に延在し、シャッター上枠１１に亘って設けてある。図２に示すように、本実施の形態では、サッシ縦枠１７、１７はソリッド形材である。  
図１に示すように、シャッター上枠１１、サッシ上枠１３、サッシ下枠１５は、サッシ縦枠１７、１７の室内外方向で重合する位置関係でサッシ縦枠１７、１７に連結してある。即ち、サッシ縦枠１７、１７と、サッシ上枠１３、サッシ下枠１５は、室内外方向寸法（見込寸法）が略同じ寸法としてあり、且つ各室内側端及び室外側端が略一致する位置で取り付けてある。また、シャッター上枠１１は、サッシ縦枠１７、１７と各室内側端を略一致する位置で取り付けてあり且つサッシ上枠１３よりも室内外寸法が僅かに大きくしてある。
サッシ上枠１３の上面には、シャッターボックス３９（後述する）内の排水を図るシャッター補助枠２９がねじ３１で取り付けてあり、シャッター補助枠２９には、サッシ上枠１３の網戸レール２５ａに対応する位置を基端部３３ａとして網戸レール２５ａよりも室外側に突設するスラットストッパー３３が設けてある。スラットストッパー３３の先端部３３ｂには、シャッタースラット３７（後述する）に室内側から当接する気密材３５が取り付けてある。  
【００１０】
シャッター巻取軸５は、シャッタースラット３７を巻き取る軸であり、サッシ上枠１３の上方に設けて、シャッターボックス３９内に納めてある。シャッター巻取軸５の回転中心Ｍは、サッシ縦枠１７の室外側端１７ｂよりも室内側に位置している。本実施の形態では、シャッター巻取軸５の回転中心Ｍは、サッシ縦枠１７の室外側端１７ｂよりもＴ寸法分室内側に位置している。寸法Ｔは、０よりも大きい寸法である。  
シャッターボックス３９は、シャッターボックスカバー４１と、シャッター縦枠７の上部（サッシ上枠１３よりも上側部）７ａ、サッシ縦枠１７の上部１７ａ（サッシ上枠１３よりも上側部）及び背面板４３で構成してある。  
シャッターボックスカバー４１は、ガイドレール４７の上方を覆い、シャッター上枠１１に着脱自在に取り付けてある。このシャッターボックスカバー４１は、シャッターボックス３９の室外側正面を覆う正面部４１ａと、ガイドレール４７の上方を覆う側面キャップ（側面部）４１ｂを有している。
側面キャップ４１ｂの室内側には、シャッター縦枠本体４６の上部７ａ、サッシ縦枠１７の上部１７ａがこの順序で連続して設けてあり、シャッターボックス３９の側面を塞いでいる。  
【００１１】
図１に示すように、シャッター縦枠７は、シャッター縦枠本体４６とガイドレール４７を有し、各シャッター縦枠本体４６はサッシ縦枠１７の室外側でシャッター上枠１１まで通して取り付けてある。  
シャッター縦枠本体４６の室外側端部には、シャッタースラット３７を案内するガイドレール４７が取り付けてある。  
ガイドレール４７は、シャッター縦枠本体４６に取り付けて、シャッター下枠９からサッシ上枠１３まで延びている。ガイドレール４７には上下方向の溝４７ａが形成してあり、溝４７ａでシャッタースラット３７の上下移動を案内する。  
【００１２】
図１に示すように、サッシ下枠１５には、その室外側にシャッター下枠９が取り付けてある。このシャッター下枠９には、シャッタースラット３７の座板４９を受ける溝９ａが形成してある。  
尚、シャッター縦枠７、７シャッター下枠９、シャッター上枠１１でシャッター枠４０を構成している。  
本実施の形態では、シャッター下枠９には、水切り５１が一体に形成してある。水切り５１はサッシ下枠１５と共同して形成した中空部５１ａと、水抜き孔部５１ｂを有し、水切り５１の中空部５１ａは、サッシ下枠１５の中空部１５ａとサッシ下枠１５の水抜き孔部１５ｂにより連通してあり、サッシ下枠１５の中空部１５ａに溜まった水を水切り５１の中空部５１ａを介して、水切り５１の水抜き孔部５１ｂから排水する。  
【００１３】
次に、上述したシャッター一体サッシ１で使用した、サッシ上枠１３、サッシ下枠１５、サッシ縦枠１７、１７と同種の枠材を使用した一般サッシ（シャッターのないサッシ）６１の組み立てについて説明する。この一般サッシ６１は、網戸付きの引き違いサッシである。  
図３及び図４に示すように、一般サッシ６１は、サッシ上枠１３、サッシ下枠１５、左右のサッシ縦枠１７、１７を連結してサッシ枠１９を組み立ててある。サッシ枠１９内には内障子２１及び外障子２３が設けてあり、サッシ上枠１３の網戸レール２５ａとサッシ下枠１５の網戸レール２５ｂ間には、網戸２７が取り付けてある。  
図３に示す一般サッシ６１では、サッシ上枠１３にシャッター補助枠２９を取り付けていないことが図１に示すシャッター一体サッシ１と異なっており、図３に示すサッシ上枠１３には、図１に示すサッシ上枠１３と同種のものを用いている。  
図３に示すように、サッシ下枠１５には、図１に示すサッシ上枠１３と同種のものを用いている。  
図４に示すように、一般サッシ６１では、左右のサッシ縦枠１７、１７にはシャッター縦枠７が取り付けていないことが図２に示すシャッター一体サッシ１のサッシ縦枠１７、１７と異なっており、図４に示すサッシ縦枠１７には、図２に示すサッシ縦枠１７と同種のものを用いているが、シャッター一体サッシ１のサッシ縦枠１７よりも上下方向の寸法を短く切断して用いている。  
したがって、図３及び図４に示す一般サッシ６１は、サッシ上枠１３、サッシ下枠１５、サッシ縦枠１７にシャッター一体サッシ１と同種の枠材を用いて組み立てることができる。
【００１４】
次に、第１実施の形態にかかるシャッター一体サッシ１の作用及び効果について説明する。  
図１に示すように、巻取軸収納シャッター部一体サッシ枠３は、サッシ縦枠１７がサッシ上枠１３の上方に延在し、シャッター上枠１１、サッシ上枠１３、サッシ下枠１５と枠組みしてあり且つシャッター巻取軸５の回転中心Ｍがサッシ縦枠１７の室外側端１７ｂよりも室内側に位置し、更に、巻取軸収納シャッター部一体サッシ枠３が躯体２に対して略納まり、シャッター一体サッシ１が全体として半外付けで取り付けてあるから、シャッターボックス３９部分の躯体２からの出幅を小さくでき、スッキリとした意匠にできる。  
サッシ縦枠１７に対してシャッター縦枠７を別体に取り付けているから、本発明のサッシ枠９を一般サッシ６１のサッシ枠１９とで、上下左右の枠材を兼用でき、設備投資が抑えられ、コストダウンを図ることができる。  
【００１５】
巻取軸収納シャッター部一体サッシ枠３は、サッシ縦枠１７、１７がサッシ上枠１３の上方に延在し、シャッター上枠１１、サッシ上枠１３、サッシ下枠１５と枠組みしているから、サッシ縦枠１７は上下寸法を所定寸法で切断するだけで済み、サッシ縦枠１７、１７に格別の加工が不要となり、コストダウンを図ることができる。  
図１に示すように、シャッター一体サッシ１は、シャッターボックス３９が躯体２から突出する出幅寸法Ｗを従来よりも小さくしているから、シャッターボックス３９の荷重負担を躯体２に預けることができる。したがって、サッシ縦枠１７にかかる荷重負担を小さくできるから、サッシ縦枠１７にソリッド形材を使用できる。ソリッド形材はホロー形材に比較して材料の使用量が少なくて済むのでコストダウンを図ることができると共に開口部を広くできる。  
シャッター縦枠本体４６をシャッター上枠１１まで延在して通しで取り付けているから、シャッターボックス３９の側面でシャッター縦枠本体４６に継ぎ目ができないので、止水性に問題が生じない。
シャッター縦枠本体４６が、サッシ縦枠１７の室外側に取り付けてあると共に、シャッター上枠１１まで通して取り付けてあるから、巻取軸収納シャッター部一体サッシ枠３の強度を向上させることができ、重量物が収納される巻取軸収納シャッター部の強度も向上させることができる。したがって、サッシ縦枠１７をソリッド形状とすることができる。
シャッター縦枠本体４６をシャッター上枠１１まで通して設けると共に、ガイドレール４７はシャッター縦枠本体４６と一体としないで且つサッシ上枠１３までの寸法のものをシャッター縦枠本体４６に取り付ける構成としているから、ガイドレール４７をシャッター縦枠本体４６と一体としてシャッター上枠１１まで通して設ける場合に比較して、ガイドレール４７をサッシ上枠１３からシャッター上枠１１までを切断加工する手間が生じないので、コストダウンを図ることができる。
シャッター下枠９には、中空部５１ａを形成した水切り５１を一体に設けてあり、中空部５１ａはサッシ下枠１５の中空部１５ａと水抜き孔部１５ｂを介して連通しているから、シャッター一体サッシ１の水密性を高めることができる。  
【００１６】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
図５に第２実施の形態にかかるシャッター一体サッシ１を示す。この第２実施の形態では、サッシ上枠１３にシャッター一体サッシ専用の枠を用いている。即ち、サッシ上枠１３にはシャッター補助枠２９が一体に形成してあり、スラットストッパー３３はサッシ上枠１３に一体に形成してある。  
この第２実施の形態によれば、サッシ上枠１３を一般サッシ６１に兼用できるという効果を除いて、上述した第１実施の形態と同様の効果を奏することができる。  
【００１７】
本発明は、上述した実施の形態に限らず、本発明の要旨を逸脱しない範囲で種々変形可能である。  
本発明にかかるシャッター一体サッシ１は、引き違いサッシにシャッターを設けたものに限らず、シャッターを設けるサッシは、内倒し窓や上げ下げ窓等であっても良く、窓種は制限されない。  
シャッター巻取軸５の回転中心Ｍは、サッシ縦枠１７の室外側端１７ｂよりも室内側に位置すればよく、シャッター巻取軸５の回転中心Ｍとサッシ縦枠１７の室外側端１７ｂとの間隔Ｔの寸法は、０よりも大きい数値であれば良く、特に制限されない。  
【符号の説明】
【００１８】
１    シャッター一体サッシ
３    巻取軸収納シャッター部一体サッシ枠
５    シャッター巻取軸
７    シャッター縦枠
９    シャッター下枠
１１  シャッター上枠
１３  サッシ上枠
１５  サッシ下枠
１７  サッシ縦枠
１７ｂ  室外側端
４１  シャッターボックスカバー
４１ｂ  側面キャップ（側面部）
４６  シャッター縦枠本体
４７  ガイドレール
【図１】
0006484057.tif 000002
【図２】
0006484057.tif 000003
【図３】
0006484057.tif 000004
【図４】
0006484057.tif 000005
【図５】
0006484057.tif 000006